(57)【特許請求の範囲】
【請求項１】
無線通信による識別コードの照合により特定の錠を電気的に施解錠可能な電子キーシステムの携帯機であって、
分割成形された第１及び第２のケースを備えたケース体と、
前記第１のケースに形成されたケース開口部と、
前記ケース体の内側に配置され、防水性を備えた防水カバーと、
前記防水カバーの外周部に前記防水カバーと一体的に形成され、少なくとも前記第２のケースに水密に密着する外側Ｏリング部と、
前記防水カバーの前記外側Ｏリング部よりも内側に形成されたカバー開口部と、
前記カバー開口部及び前記ケース開口部を介して前記第１のケースから露出する透明カバーと、
前記外側Ｏリング部よりも内側で前記カバー開口部の全周を囲んで前記防水カバーと一体的に形成され、少なくとも前記透明カバーに水密に密着する内側Ｏリング部と、
少なくとも前記第２のケース、前記透明カバー、前記防水カバー、前記外側Ｏリング部及び前記内側Ｏリング部により形成される防水空間と、
前記防水空間内に配置され、前記透明カバーを介して所定の情報を表示する表示部と、
前記無線通信を行う無線通信回路部が実装され、前記防水空間内に配置された回路基板と
を有し、
前記内側Ｏリング部は、前記第１のケースと前記透明カバーとの間に平面固定されていることを特徴とする電子キーシステムの携帯機。
【請求項２】
前記透明カバーは、前記第１のケースに対して第１の組付け方向に組み付けられており、
前記第１のケースは、前記第１の組付け方向にほぼ垂直に形成されて前記内側Ｏリング部に密着する環状の第１の内側Ｏリング圧縮面を有し、
前記透明カバーは、前記第１の内側Ｏリング圧縮面にほぼ平行に形成されて前記内側Ｏリング部に密着する環状の第２の内側Ｏリング圧縮面を有することを特徴とする請求項１に記載の電子キーシステムの携帯機。
【請求項３】
無線通信による識別コードの照合により特定の錠を電気的に施解錠可能な電子キーシステムの携帯機であって、
分割成形された第１及び第２のケースを備えたケース体と、
前記第１のケースに形成されたケース開口部と、
前記ケース体の内側に配置され、防水性を備えた防水カバーと、
前記防水カバーの外周部に前記防水カバーと一体的に形成され、少なくとも前記第２のケースに水密に密着する外側Ｏリング部と、
前記防水カバーの前記外側Ｏリング部よりも内側に形成されたカバー開口部と、
前記カバー開口部及び前記ケース開口部を介して前記第１のケースから露出する透明カバーと、
前記外側Ｏリング部よりも内側で前記カバー開口部の全周を囲んで前記防水カバーと一体的に形成され、少なくとも前記透明カバーに水密に密着する内側Ｏリング部と、
少なくとも前記第２のケース、前記透明カバー、前記防水カバー、前記外側Ｏリング部及び前記内側Ｏリング部により形成される防水空間と、
前記防水空間内に配置され、前記透明カバーを介して所定の情報を表示する表示部と、
前記無線通信を行う無線通信回路部が実装され、前記防水空間内に配置された回路基板と
を有し、
前記防水空間内に配置され、対向配置された２枚の板状部材を熱かしめにより一体化して形成された構造体をさらに有し、
前記回路基板は、前記構造体の内部に配置されていることを特徴とする電子キーシステムの携帯機。
【請求項４】
無線通信による識別コードの照合により特定の錠を電気的に施解錠可能な電子キーシステムの携帯機であって、
分割成形された第１及び第２のケースを備えたケース体と、
前記第１のケースに形成されたケース開口部と、
前記ケース体の内側に配置され、防水性を備えた防水カバーと、
前記防水カバーの外周部に前記防水カバーと一体的に形成され、少なくとも前記第２のケースに水密に密着する外側Ｏリング部と、
前記防水カバーの前記外側Ｏリング部よりも内側に形成されたカバー開口部と、
前記カバー開口部及び前記ケース開口部を介して前記第１のケースから露出する透明カバーと、
前記外側Ｏリング部よりも内側で前記カバー開口部の全周を囲んで前記防水カバーと一体的に形成され、少なくとも前記透明カバーに水密に密着する内側Ｏリング部と、
少なくとも前記第２のケース、前記透明カバー、前記防水カバー、前記外側Ｏリング部及び前記内側Ｏリング部により形成される防水空間と、
前記防水空間内に配置され、前記透明カバーを介して所定の情報を表示する表示部と、
前記無線通信を行う無線通信回路部が実装され、前記防水空間内に配置された回路基板と
を有し、
前記防水空間内に配置され、対向配置された２枚の板状部材を熱かしめにより一体化して形成された構造体をさらに有し、
前記回路基板は、前記構造体の内部に配置された第１の基板と、前記第１の基板に対して折畳み可能に接続されて前記構造体の外表面上に配置された第２の基板とを備え、
前記第１の基板には前記無線通信回路部が実装され、
前記第２の基板には、使用者の操作に基づいて所定の信号を出力する操作部が実装されていることを特徴とする電子キーシステムの携帯機。
【請求項５】
前記外側Ｏリング部は、前記第１のケースと前記第２のケースとの間に平面固定されていることを特徴とする請求項１乃至４のいずれか１項に記載の電子キーシステムの携帯機。
【請求項６】
前記第２のケースは、前記第１のケースに対して第２の組付け方向に組み付けられており、
前記第１のケースは、前記第２の組付け方向にほぼ垂直に形成されて前記外側Ｏリング部に密着する環状の第１の外側Ｏリング圧縮面を有し、
前記第２のケースは、前記第１の外側Ｏリング圧縮面にほぼ平行に形成されて前記外側Ｏリング部に密着する環状の第２の外側Ｏリング圧縮面を有することを特徴とする請求項５に記載の電子キーシステムの携帯機。
【発明の詳細な説明】
【技術分野】
【０００１】
本発明は、電子キーシステムにおいて使用者に携帯される携帯機に関する。
【背景技術】
【０００２】
特許文献１には、従来の電子キーシステムの携帯機が開示されている。この携帯機は、上部ケースと下部ケースとにより形成される内部空間内に、ノブ部材、シリコーン樹脂製の薄膜状の防水カバー、回路基板、電池ターミナル、電池ケース及びボタン電池等が上部からこの順に積み重ねられた配置構成を有している。この構成では、回路基板、電池ターミナル、電池ケース及びボタン電池等は、下部ケースと防水カバーとにより形成される防水空間内に配置されている。回路基板の上面には、防水カバーを介して伝達されるノブ部材からの押圧力によりオン状態及びオフ状態が切り替えられるスイッチと、携帯機の動作状態に基づいて点灯／消灯する発光ダイオード（ＬＥＤ）とが設けられている。ＬＥＤからの光は、防水カバーと上部ケースに形成された透明なＬＥＤ窓部とを透過する。これにより携帯機の使用者は、ＬＥＤ窓部を介して視認されるＬＥＤの点灯状態に基づいて、携帯機の動作状態を確認できるようになっている。
【特許文献１】特開２００４−１５３５２６号公報
【発明の開示】
【発明が解決しようとする課題】
【０００３】
近年の電子キーシステムの携帯機には、より多くの情報を表示可能な液晶表示装置（ＬＣＤ）を用いた表示画面が設けられる場合がある。この場合、上記構成と同様にＬＣＤを防水空間内に配置したとすると、表示画面は防水カバーを介して視認されることになる。しかしながら、シリコーン樹脂製の防水カバーは、ＬＥＤの点灯／消灯を識別できる程度には光を透過させ得るものの、非透明（乳白色）であるため、表示画面の視認性が低下してしまうという問題が生じる。
【０００４】
本発明の目的は、表示部を防水できるとともに表示画面の視認性を向上できる電子キーシステムの携帯機を提供することにある。
【課題を解決するための手段】
【０００５】
本発明は上記目的を達成するために、以下の技術的手段を採用する。
【０００６】
請求項１に記載の発明は、無線通信による識別コードの照合により特定の錠を電気的に施解錠可能な電子キーシステムの携帯機であって、分割成形された第１及び第２のケースを備えたケース体と、第１のケースに形成されたケース開口部と、ケース体の内側に配置され、防水性を備えた防水カバーと、防水カバーの外周部に防水カバーと一体的に形成され、少なくとも第２のケースに水密に密着する外側Ｏリング部と、防水カバーの外側Ｏリング部よりも内側に形成されたカバー開口部と、カバー開口部及びケース開口部を介して第１のケースから露出する透明カバーと、外側Ｏリング部よりも内側でカバー開口部の全周を囲んで防水カバーと一体的に形成され、少なくとも透明カバーに水密に密着する内側Ｏリング部と、少なくとも第２のケース、透明カバー、防水カバー、外側Ｏリング部及び内側Ｏリング部により形成される防水空間と、防水空間内に配置され、透明カバーを介して所定の情報を表示する表示部と、無線通信を行う無線通信回路部が実装され、防水空間内に配置された回路基板とを有し、内側Ｏリング部は、第１のケースと透明カバーとの間に平面固定されていることを特徴とする。
【０００７】
これにより、少なくとも第２のケース、透明カバー、防水カバー、外側Ｏリング部及び内側Ｏリング部により形成される防水空間内に表示部が配置されるため、表示部の防水が可能になる。また、表示部は透明カバーを介して表示を行うため、表示画面の視認性を向上できる。
【０００９】
請求項２に記載の発明は、透明カバーは、第１のケースに対して第１の組付け方向に組み付けられており、第１のケースは、第１の組付け方向にほぼ垂直に形成されて内側Ｏリング部に密着する環状の第１の内側Ｏリング圧縮面を有し、透明カバーは、第１の内側Ｏリング圧縮面にほぼ平行に形成されて内側Ｏリング部に密着する環状の第２の内側Ｏリング圧縮面を有することを特徴としている。
【００１０】
これにより、透明カバーと第１のケースとを組み付けることによって内側Ｏリング部が透明カバー及び第１のケースの双方に密着するため、携帯機の製造工程を簡略化できる。
【００１１】
請求項３に記載の発明は、無線通信による識別コードの照合により特定の錠を電気的に施解錠可能な電子キーシステムの携帯機であって、分割成形された第１及び第２のケースを備えたケース体と、第１のケースに形成されたケース開口部と、ケース体の内側に配置され、防水性を備えた防水カバーと、防水カバーの外周部に防水カバーと一体的に形成され、少なくとも第２のケースに水密に密着する外側Ｏリング部と、防水カバーの外側Ｏリング部よりも内側に形成されたカバー開口部と、カバー開口部及びケース開口部を介して第１のケースから露出する透明カバーと、外側Ｏリング部よりも内側でカバー開口部の全周を囲んで防水カバーと一体的に形成され、少なくとも透明カバーに水密に密着する内側Ｏリング部と、少なくとも第２のケース、透明カバー、防水カバー、外側Ｏリング部及び内側Ｏリング部により形成される防水空間と、防水空間内に配置され、透明カバーを介して所定の情報を表示する表示部と、無線通信を行う無線通信回路部が実装され、防水空間内に配置された回路基板とを有し、防水空間内に配置され、対向配置された２枚の板状部材を熱かしめにより一体化して形成された構造体をさらに有し、回路基板は、構造体の内部に配置されていることを特徴としている。これにより、無線通信回路部を容易に開けることができない構成にできるため、無線設備としての手続きが容易になる要件の一部を満たすことができる。
【００１２】
請求項４に記載の発明は、無線通信による識別コードの照合により特定の錠を電気的に施解錠可能な電子キーシステムの携帯機であって、分割成形された第１及び第２のケースを備えたケース体と、第１のケースに形成されたケース開口部と、ケース体の内側に配置され、防水性を備えた防水カバーと、防水カバーの外周部に防水カバーと一体的に形成され、少なくとも第２のケースに水密に密着する外側Ｏリング部と、防水カバーの外側Ｏリング部よりも内側に形成されたカバー開口部と、カバー開口部及びケース開口部を介して第１のケースから露出する透明カバーと、外側Ｏリング部よりも内側でカバー開口部の全周を囲んで防水カバーと一体的に形成され、少なくとも透明カバーに水密に密着する内側Ｏリング部と、少なくとも第２のケース、透明カバー、防水カバー、外側Ｏリング部及び内側Ｏリング部により形成される防水空間と、防水空間内に配置され、透明カバーを介して所定の情報を表示する表示部と、無線通信を行う無線通信回路部が実装され、防水空間内に配置された回路基板とを有し、防水空間内に配置され、対向配置された２枚の板状部材を熱かしめにより一体化して形成された構造体をさらに有し、回路基板は、構造体の内部に配置された第１の基板と、第１の基板に対して折畳み可能に接続されて構造体の外表面上に配置された第２の基板とを備え、第１の基板には無線通信回路部が実装され、第２の基板には、使用者の操作に基づいて所定の信号を出力する操作部が実装されていることを特徴としている。
【００１３】
これにより、無線通信回路部を容易に開けることができない構成にできるため、無線設備としての手続きが容易になる要件の一部を満たすことができる。また、操作部を構造体の外部に配置された第２の基板に実装することにより、構造体の内部に収容された第１の基板には操作部以外の電子部品をより多く実装できるため、携帯機の高性能化や多機能化が容易になる。
【００１４】
請求項５に記載の発明のように、外側Ｏリング部は、第１のケースと第２のケースとの間に平面固定されるようにしてもよい。
【００１６】
請求項６に記載の発明は、第２のケースは、第１のケースに対して第２の組付け方向に組み付けられており、第１のケースは、第２の組付け方向にほぼ垂直に形成されて外側Ｏリング部に密着する環状の第１の外側Ｏリング圧縮面を有し、第２のケースは、第１の外側Ｏリング圧縮面にほぼ平行に形成されて外側Ｏリング部に密着する環状の第２の外側Ｏリング圧縮面を有することを特徴としている。
【００１７】
これにより、第１のケースと第２のケースとを組み付けることによって外側Ｏリング部が第１及び第２のケースの双方に密着するため、携帯機の製造工程を簡略化できる。
【発明を実施するための最良の形態】
【００１８】
（第１実施形態）
本発明の第１実施形態について図１乃至図３を用いて説明する。本実施形態の電子キーシステムは、車両に搭載された車載機と、使用者に携帯され、車載機との間で無線通信を行う携帯機とを有している。携帯機は車載機からの要求に応じて識別コードを無線送信し、車載機は携帯機から受信した識別コードと予め登録された識別コードとを照合し、照合結果に基づいて車両ドアの施解錠やエンジン始動許可等を行うようになっている。
【００１９】
図１は、本実施形態における電子キーシステムの携帯機の構成を示す分解斜視図である。図２は、携帯機の表示部近傍の構成を示す部分断面図であり、図３は、図２に示す部分断面における上部ケース側の分解図である。図２及び図３では、携帯機の構成要素の一部を省略して示している。図１乃至図３に示すように、携帯機１は、分割成形された上部ケース１０及び下部ケース２０を備えた例えば樹脂製のケース体を有している。上部ケース１０は、下部ケース２０に対し、図中の上下方向に嵌合するようになっている。ケース体内部には、操作ノブ３０、３１、防水カバー４０、透明カバー５０、内部カバー６０、ＬＣＤパネル（表示部）７０、回路基板８０、電池ホルダ９０及びボタン型電池１００、１０１が上部ケース１０側から概ねこの順に積層されている。またケース体には、車両ドアの錠を機械的に施解錠できるエマージェンシーキー１１０が、例えばシーソ構造のロック機構によって着脱可能に保持されるようになっている。
【００２０】
上部ケース１０には、内側から嵌め込まれた操作ノブ３０、３１の表面をそれぞれ露出させる操作ノブ用開口部１１、１２と、内側から嵌め込まれた透明カバー５０を露出させる表示部用開口部（ケース開口部）１３とを有している。表示部用開口部１３の開口端には、透明カバー５０の係止爪５４により係止される被係止部１８が形成されている。また、上部ケース１０の内側表面のうち表示部用開口部１３外周部には、後述する内側Ｏリング部４３に水密に密着される環状の内側Ｏリング圧縮面１９が形成されている。内側Ｏリング圧縮面１９は、上部ケース１０及び透明カバー５０の組付け方向（図中上下方向）にほぼ垂直に形成されている。さらに、上部ケース１０の外周部には、下部ケース２０に嵌合する枠状の嵌合突起１２０が形成されている。嵌合突起１２０の内周側には、後述する外側Ｏリング部４２に水密に密着される環状の外側Ｏリング圧縮面１２１が形成されている。外側Ｏリング圧縮面１２１は、上部ケース１０及び下部ケース２０の組付け方向（図中上下方向）にほぼ垂直に形成されている。
【００２１】
上部ケース１０の表面には、化粧カバー１４が例えば両面テープを用いて取り付けられている。化粧カバー１４は例えば透明樹脂製であり、裏面側（上部ケース１０側）に所定の裏印刷が施されている。化粧カバー１４には、上部ケース１０の操作ノブ用開口部１１、１２及び表示部用開口部１３にそれぞれ対応する位置に、操作ノブ用開口部１５、１６及び表示部用開口部１７が形成されている。表示部用開口部１７は、後述する枠状部５３や係止爪５４等が化粧カバー１４によって隠されるように、上部ケース１０の表示部用開口部１３よりもやや小さく形成されている。
【００２２】
防水カバー４０は、例えばシリコーンゴム製であり、防水性及び可撓性を備えている。防水カバー４０は、内側から嵌め込まれた透明カバー５０を露出させる表示部用開口部（カバー開口部）４１を有している。また防水カバー４０は、操作ノブ３０、３１に加えられた押圧力を回路基板８０側に伝達するとともに、弾性力により操作ノブ３０、３１を外側（図中上方）に付勢するようになっている。
【００２３】
防水カバー４０の外周部の全周には、防水カバー４０と一体成形された外側Ｏリング部４２が形成されている。表示部用開口部４１の周囲には、表示部用開口部４１の全周を囲んで防水カバー４０と一体成形された内側Ｏリング部４３が形成されている。外側Ｏリング部４２及び内側Ｏリング部４３は、対向する２つの表面によって圧縮されることにより両表面に水密に密着するようになっている。
【００２４】
透明カバー５０は透明樹脂製であり、ＬＣＤパネル７０の表面にほぼ平行なパネルカバー部５１と、パネルカバー部５１の外周部から下方（下部ケース２０側）に枠状に突出する枠状部５３と、枠状部５３の突出端から外周側に延出して形成されたフランジ部５２とを有している。パネルカバー部５１の外周部には、上部ケース１０の被係止部１８に係止する係止爪５４が複数箇所に設けられている。透明カバー５０が上部ケース１０に対して内側から組み付けられると、パネルカバー部５１は、防水カバー４０の表示部用開口部４１と上部ケース１０の表示部用開口部１３とを介して上部ケース１０から露出するようになっている。フランジ部５２には、内側Ｏリング部４３に水密に密着される環状の内側Ｏリング圧縮面５５が形成されている。内側Ｏリング圧縮面５５は、上部ケース１０の内側Ｏリング圧縮面１９にほぼ平行に形成され、内側Ｏリング圧縮面１９との間で内側Ｏリング部４３を平面固定するようになっている。
【００２５】
内部カバー（板状部材）６０は例えば樹脂製であり、概ね板状の形状を有している。内部カバー６０は、後述するプッシュスイッチ８１、８２をそれぞれ露出させるスイッチ用開口部６１、６２と、ＬＣＤパネル７０を露出させる表示部用開口部６３とを有している。内部カバー６０は、ＬＣＤパネル７０を面内方向で位置決めして固定するとともに、回路基板８０上の回路素子を保護するために設けられている。また内部カバー６０の裏面側（回路基板８０側）の外周部には、電池ホルダ９０の挿入孔部９２に挿入された後に熱かしめされる複数のピン６４が突出して形成されている。
【００２６】
ＬＣＤパネル７０としては、例えば複数の画素がマトリクス状に配置され、画素毎に液晶を駆動することにより外光の反射率を画素毎に制御できるドットマトリクス方式の反射型ＬＣＤパネルが用いられている。ＬＣＤパネル７０は、電極形成面同士が対向するように配置された一対の透明基板と、両透明基板間に封止された液晶とを有している。一方の透明基板の電極形成面のうち例えば一端辺には、複数の端子部が互いに並列して設けられている。各端子部は、回路基板８０に実装された制御回路部に液晶接続用コネクタ７１を介して接続されている。ＬＣＤパネル７０は、制御回路部から入力される表示信号に基づいて、透明カバー５０のパネルカバー部５１を介して所定の情報を表示するようになっている。ＬＣＤパネル７０と回路基板８０との間には、平板状の固定台７２が設けられている。固定台７２は、ＬＣＤパネル７０の厚み方向の位置を調節するとともに、ＬＣＤパネル７０に対する衝撃を緩和する緩衝材として機能する。
【００２７】
回路基板（リジット基板）８０は、内部カバー６０とほぼ同一の平面形状を有している。回路基板８０には、制御回路部及び無線通信回路部を構成する回路素子や、プッシュスイッチ（操作部）８１、８２等を含む電子部品が実装されている。必要な実装面積の比較的大きい無線通信回路部のアンテナ８３は回路基板８０の裏面側（電池ホルダ９０側）に実装され、プッシュスイッチ８１、８２等の他の電子部品の多くは回路基板８０の表面側（ＬＣＤパネル７０側）に実装されている。制御回路部は、各種の制御や演算を行う中央処理装置（ＣＰＵ）と、固有の識別コードや各種の制御プログラム等が格納された読出し専用の記憶装置（ＲＯＭ）と、任意の記憶領域においてデータの書込み及び読出しが可能な記憶装置（ＲＡＭ）と、外部との信号の入出力を行う入出力ポートとを有している。プッシュスイッチ８１、８２は、回路基板８０に固定された本体部と、本体部から上方に突出して防水カバー４０に当接し、上方からの押圧力によって下方側に変位する可動片８１ａ、８２ａとをそれぞれ有している。
【００２８】
操作ノブ３０が使用者により押釦されると、操作ノブ３０に加えられた押圧力が防水カバー４０を介してプッシュスイッチ８１の可動片８１ａに伝達され、可動片８１ａが下方に変位する。これにより、可動片８１ａに設けられた可動接点と本体部に設けられた固定接点とが電気的に接続される。すなわち、プッシュスイッチ８１はオン状態になって接点信号を制御回路部に出力する。同様に、操作ノブ３１が使用者により押釦されると、プッシュスイッチ８２はオン状態になって接点信号を制御回路部に出力する。制御回路部は、プッシュスイッチ８１、８２からの接点信号が入力されると、無線通信回路部を介して所定の機能信号を車載機側に無線送信するようになっている。
【００２９】
使用者による操作ノブ３０の押釦が停止されると、防水カバー４０により与えられる付勢力によって操作ノブ３０が上方に変位する。これにより、可動片８１ａ、８２ａに対する押圧力も取り除かれ、可動片８１ａの可動接点と本体部の固定接点とが電気的に分離される。すなわち、プッシュスイッチ８１はオフ状態になって接点信号の出力を停止する。同様に、使用者による操作ノブ３１の押釦が停止されると、プッシュスイッチ８２はオフ状態になって接点信号の出力を停止する。
【００３０】
電池ホルダ（板状部材）９０は例えば樹脂製であり、内部カバー６０とほぼ同一の平面形状を備えた板状に形成されている。電池ホルダ９０は、ボタン型電池１００、１０１を下面側（下部ケース２０側）から収容し、ボタン型電池１００、１０１からの電力を回路基板８０に実装された電子部品に供給するようになっている。また電池ホルダ９０には、アンテナ８３との機械的干渉を防ぐために開口されたアンテナ用開口部９１が形成されている。アンテナ８３の反実装面（下部ケース２０側表面）と下部ケース２０の内部底面との間には、アンテナ８３に対する衝撃を緩和する緩衝部材９３が設けられている。さらに電池ホルダ９０には、内部カバー６０の複数のピン６４がそれぞれ挿入される複数の挿入孔部９２が形成されている。ピン６４は挿入孔部９２に挿入された後に熱かしめされるため、内部カバー６０と電池ホルダ９０は、回路基板８０を挟み、使用者が容易には分解できないように一体化するようになっている。本願明細書中では、内部カバー６０と電池ホルダ９０とが熱かしめによって一体化された構造体を便宜上「熱かしめ構造体」ともいう。
【００３１】
下部ケース２０は、上部ケース１０の嵌合突起１２０に嵌合される嵌合溝２１を外周部に有している。嵌合溝２１の内周側には、外側Ｏリング部４２に水密に密着される環状の外側Ｏリング圧縮面２２が形成されている。外側Ｏリング圧縮面２２は、上部ケース１０の外側Ｏリング圧縮面１２１にほぼ平行に形成され、外側Ｏリング圧縮面１２１との間で外側Ｏリング部４２を平面固定するようになっている。下部ケース２０のうち少なくとも外側Ｏリング圧縮面２２よりも内周側には、下部ケース２０を貫通する開口部は形成されていない。
【００３２】
本実施形態では、防水カバー４０の外側Ｏリング部４２は下部ケース２０の外側Ｏリング圧縮面２２に水密に密着しており、内側Ｏリング部４３は透明カバー５０の内側Ｏリング圧縮面５５に水密に密着している。これによりケース体の内部には、下部ケース２０、透明カバー５０、防水カバー４０、外側Ｏリング部４２及び内側Ｏリング部４３によって防水空間１３０が形成されるようになっている。ＬＣＤパネル７０、回路基板８０、ボタン型電池１００、１０１等は、いずれも防水空間１３０内に配置されている。したがって本実施形態によれば、ＬＣＤパネル７０を回路基板８０やボタン型電池１００、１０１等と共に防水できるようになっている。
【００３３】
また本実施形態では、ＬＣＤパネル７０が、透明樹脂で形成された透明カバー５０のパネルカバー部５１を介して表示を行うため、表示画面の視認性を向上できる。
【００３４】
さらに本実施形態では、上部ケース１０の内側Ｏリング圧縮面１９と透明カバー５０の内側Ｏリング圧縮面５５とが、いずれも上部ケース１０及び透明カバー５０の組付け方向にほぼ垂直に形成されている。このため、防水カバー４０を挟んで上部ケース１０と透明カバー５０とを組み付け、係止爪５４を被係止部１８に係止させることによって、内側Ｏリング圧縮面１９と内側Ｏリング圧縮面５５との双方に内側Ｏリング部４３を密着させることができる。したがって、携帯機１の製造工程を簡略化できる。
【００３５】
また本実施形態では、上部ケース１０の外側Ｏリング圧縮面１２１と下部ケース２０の外側Ｏリング圧縮面２２とが、いずれも上部ケース１０及び下部ケース２０の組付け方向にほぼ垂直に形成されている。このため、防水カバー４０を挟んで上部ケース１０と下部ケース２０とを組み付け、嵌合突起１２０を嵌合溝２１に嵌合させることによって、外側Ｏリング圧縮面１２１と外側Ｏリング圧縮面２２との双方に外側Ｏリング部４２を密着させることができる。したがって、携帯機１の製造工程を簡略化できる。
【００３６】
さらに本実施形態では、無線通信回路部が実装された回路基板８０が、容易には分解できない熱かしめ構造体の内部に配置されるようになっている。これにより、無線通信回路部（高周波部及び変調部）を容易に開けることができない構成にできるため、日本国の電波法や他国法令等の規定に基づき無線設備としての手続きが容易になる要件の一部を満たすことができる。したがって、携帯機１の製造コストを低減できる。
【００３７】
また本実施形態では、容易には分解できない構造体を熱かしめにより一体化しているため、携帯機１の部品点数の増加を抑制できるとともに製造工程を簡略化できる。
【００３８】
（第２実施形態）
次に、本発明の第２実施形態について図４乃至図６を用いて説明する。図４は、本実施形態における携帯機２の構成を示す分解斜視図である。図４に示すように、携帯機２は、主に回路基板１８０及び内部カバー１６０の構成に特徴を有している。
【００３９】
回路基板１８０は、柔軟性の比較的低い絶縁性基材を用いて形成された２枚のリジット基板１８１、１８２と、柔軟性の比較的高い絶縁性基材を用いて折曲げ可能に形成されたフレキシブル基板１８３とを有している。リジット基板１８１は、第１実施形態の回路基板８０と概ね同様の形状を有し、熱かしめ構造体を構成する内部カバー１６０及び電池ホルダ９０の間に挟まれている。リジット基板１８１の一端部には、フレキシブル基板１８３の一端部が接続されている。フレキシブル基板１８３の他端部には、リジット基板１８２の一端部が接続されている。すなわちリジット基板１８２は、熱かしめ構造体に対し、フレキシブル基板１８３を介して折畳み可能に接続されている。リジット基板１８２の図４中上方の表面には電子部品が実装されておらず、図４中下方の表面には、プッシュスイッチ８１、８２等の無線通信機能には直接寄与しない操作部を構成する電子部品のみが実装されている。
【００４０】
内部カバー１６０には、第１実施形態の内部カバー６０とは異なり、スイッチ用開口部６１、６２が形成されていない。内部カバー１６０の防水カバー４０側表面（熱かしめ構造体の外表面）には、リジット基板１８２を保持可能な保持部１９０が形成されている。保持部１９０は、フレキシブル基板１８３が約１８０°折り曲げられることにより反転して折畳まれたリジット基板１８２を保持するようになっている。
【００４１】
図５は、フレキシブル基板１８３を伸ばした状態での携帯機２の熱かしめ構造体２００の構成を示す斜視図である。図６は、フレキシブル基板１８３を折り曲げてリジット基板１８２を保持部１９０に保持させた状態での熱かしめ構造体２００の構成を示す斜視図である。図５及び図６に示すように、保持部１９０は、反転したリジット基板１８２の表面（非実装面）１８２ａに当接する当接面１９０ａと、リジット基板１８２のうちフレキシブル基板１８３に接続された端部以外の三方の端面を囲むように突出した枠状部１９１と、枠状部１９１の対向する２辺から内側に突出し、当接面１９０ａに当接した状態のリジット基板１８２が浮き上がるのを阻止する爪部１９２とを有している。ここで、リジット基板１８２には、爪部１９２に対応する位置に切欠き部１８４が設けられている。
【００４２】
図５に示した状態からリジット基板１８２を保持部１９０に保持させる際には、フレキシブル基板１８３を折り曲げてリジット基板１８２を熱かしめ構造体２００に対して折り畳み、表面１８２ａと当接面１９０ａとを対向させる。そして、切欠き部１８４の位置と爪部１９２の位置とが対応するようにリジット基板１８２を保持部１９０の枠状部１９１内に嵌め込み、表面１８２ａと当接面１９０ａとを当接させる。その後、リジット基板１８２を枠状部１９１の２辺に沿って当接面１９０ａに対して摺動させ、切欠き部１８４の位置を爪部１９２の位置からずらす。これにより、リジット基板１８２が保持部１９０から浮き上がるのが阻止され、リジット基板１８２は保持部１９０に保持される。リジット基板１８２が保持部１９０に保持されると、リジット基板１８２は熱かしめ構造体２００の外部に露出し、プッシュスイッチ８１、８２は、操作ノブ３０、３１に加えられた押圧力が防水カバー４０を介して伝達される位置に配置される。
【００４３】
本実施形態では、第１実施形態と同様に、ＬＣＤパネル７０、回路基板１８０、ボタン型電池１００、１０１等が防水空間１３０内に配置されている。したがって、ＬＣＤパネル７０を回路基板１８０やボタン型電池１００、１０１等と共に防水できるようになっている。また本実施形態では、第１実施形態と同様に、ＬＣＤパネル７０は透明カバー５０を介して表示を行うため、表示画面の視認性を向上できる。
【００４４】
さらに本実施形態では、必要な実装面積の比較的大きいプッシュスイッチ８１、８２は熱かしめ構造体２００の外部のリジット基板１８２に実装されている。したがって、熱かしめ構造体２００内部のリジット基板１８１には、第１実施形態の回路基板８０よりも多数の電子部品を実装できるため、携帯機２の高性能化や多機能化が容易になる。なお、プッシュスイッチ８１、８２等の操作部については、熱かしめ構造体２００の外部に実装されていても、電波法等の規定に基づき無線設備としての手続きが容易になる要件に反することにはならない。
【００４５】
（その他の実施形態）
上記実施形態では、Ｏリング圧縮面１９、２２、５５、１２１がＯリング部４２、４３をそれぞれ平面固定するように形成されているが、Ｏリング圧縮面はＯリング部を円筒面固定するように形成してもよい。
【００４６】
また上記実施形態では、所定の情報を表示する表示部として反射型ＬＣＤ表示パネルを用いた例を挙げたが、透過型ＬＣＤパネルと当該透過型ＬＣＤパネルを背面側から照明するバックライト装置とを用いてもよいし、有機ＥＬ表示パネルやＦＬ表示パネル等の他の表示装置を用いてもよい。
【００４７】
さらに上記実施形態では、無線通信回路部の実装された回路基板８０やリジット基板１８１を収容する構造体は熱かしめにより一体化されているが、構造体は、容易に分解できないようになっていれば特殊ビス等を用いて一体化されていてもよい。
【００４８】
また上記第２実施形態では、リジット基板１８１、１８２がフレキシブル基板１８３を介して折畳み可能に接続されているが、フレキシブル基板１８３に代えて、リジット基板１８１、１８２を折畳み可能に接続するコネクタを用いてもよい。
【００４９】
さらに上記第２実施形態では、リジット基板１８２が保持部１９０によって保持されているが、リジット基板１８２を内部カバー１６０に固定できれば両面テープや熱かしめ等を用いてもよい。
【図面の簡単な説明】
【００５０】
【図１】第１実施形態における電子キーシステムの携帯機の構成を示す分解斜視図である。
【図２】第１実施形態における電子キーシステムの携帯機の表示部近傍の構成を示す部分断面図である。
【図３】図２に示す部分断面における上部ケース側の分解図である。
【図４】第２実施形態における電子キーシステムの携帯機の構成を示す分解斜視図である。
【図５】フレキシブル基板を伸ばした状態での熱かしめ構造体の構成を示す斜視図である。
【図６】フレキシブル基板を曲げてリジット基板を保持部に保持させた状態での熱かしめ構造体の構成を示す斜視図である。
【符号の説明】
【００５１】
１、２  携帯機
１０  上部ケース
１３  表示部用開口部（ケース開口部）
１９、５５  内側Ｏリング圧縮面
２０  下部ケース
２２、１２１  外側Ｏリング圧縮面
３０、３１  操作ノブ
４０  防水カバー
４１  表示部用開口部（カバー開口部）
４２  外側Ｏリング部
４３  内側Ｏリング部
５０  透明カバー
６０、１６０  内部カバー（板状部材）
７０  ＬＣＤパネル（表示部）
８０、１８０  回路基板
９０  電池ホルダ（板状部材）
１００、１０１  ボタン型電池
１３０  防水空間
１８１、１８２  リジット基板
１８３  フレキシブル基板
１９０  保持部
２００  熱かしめ構造体
【図１】
0005217523.tif 000002
【図２】
0005217523.tif 000003
【図３】
0005217523.tif 000004
【図４】
0005217523.tif 000005
【図５】
0005217523.tif 000006
【図６】
0005217523.tif 000007